(57)【特許請求の範囲】
【請求項１】
光源から照射される光を通す開口の縁部に設けられた鍔部と、
前記鍔部の照射方向の側の面である下面に取り付けられる化粧枠であって、前記開口と連通する開口部が形成された化粧枠と
を備え、
前記化粧枠は、
前記開口部の周囲に設けられ、前記下面に取り付けられる取付面部と、
前記開口部に沿って前記取付面部に設けられた凹部であって、前記凹部の底面と前記下面とが接した状態で前記鍔部が収納される凹部と、
前記凹部の外周の側の前記取付面部から、前記凹部に収納された前記鍔部の上面における、前記開口の縁部の側まで延びて設けられた長形の保持片であり、前記上面の複数個所を保持する保持部材と
を備え、
前記保持部材は、
前記取付面部に固定された固定部と、
前記固定部から前記上面まで延びた保持部と
を有し、
前記鍔部は、
前記上面が上方に傾斜する傾斜部を有し、
前記保持部は、
下方に屈曲し、前記上面を保持した状態で前記傾斜部と接する屈曲部を有する照明器具。
【請求項２】
前記保持部は、
前記固定部を支点として、前記上面を保持している位置から前記凹部の外周に沿って前記上面を保持しない位置まで回転する請求項１に記載の照明器具。
【請求項３】
前記取付面部は、
前記固定部が固定された位置の外側に、前記取付面部の外周縁に沿って形成された凸部を有する請求項１または請求項２に記載の照明器具。
【請求項４】
前記化粧枠は、環形状をなし、
前記保持部材は、
前記化粧枠において等間隔となる位置に配置される請求項１から請求項３のいずれか１項に記載の照明器具。
【請求項５】
前記化粧枠は、環形状をなし、
前記保持部材は、
前記化粧枠において対向する対となる位置に配置される請求項１から請求項３のいずれか１項に記載の照明器具。
【請求項６】
請求項１から請求項５のいずれか１項に記載の照明器具と、
前記照明器具に取り付けられた光源部と、
前記光源部に電力を供給する電源部と
を備える照明装置。
【発明の詳細な説明】
【技術分野】
【０００１】
本発明は、化粧枠が取り付けられた照明器具及び照明装置に関する。
【背景技術】
【０００２】
従来、ダウンライトのような埋め込み型照明器具の開口周縁部に化粧枠を取り付ける技術がある（例えば、特許文献１参照）。
【先行技術文献】
【特許文献】
【０００３】
【特許文献１】特開２０１３−２１４４４２号公報
【発明の概要】
【発明が解決しようとする課題】
【０００４】
特許文献１の照明器具では、化粧枠の保持部材として、本体部、光源部及び電源部を囲む化粧枠ユニットが必要なため、本体部、光源部及び電源部の形状によっては、化粧枠を取り付け難いという課題がある。
【０００５】
本発明は、化粧枠の取り付けを容易にすることを目的とする。
【課題を解決するための手段】
【０００６】
本発明に係る照明器具は、光源から照射される光を通す開口の縁部に設けられた鍔部と、前記鍔部の照射方向の側の面である下面に取り付けられる化粧枠であって、前記開口と連通する開口部が形成された化粧枠とを備え、前記化粧枠は、前記開口部の周囲に設けられ、前記下面に取り付けられる取付面部と、前記開口部に沿って前記取付面部に設けられた凹部であって、前記凹部の底面と前記下面とが接した状態で前記鍔部が収納される凹部と、前記凹部の外周の側の前記取付面部から前記凹部に収納された前記鍔部の上面まで延びて設けられ、前記上面を保持する保持部材とを備える。
【発明の効果】
【０００７】
本発明に係る照明器具によれば、鍔部に取り付けられる化粧枠が鍔部を収納する凹部を備え、保持部材が凹部に収納された鍔部を凹部の底面と保持部とで挟んで保持するので、取付枠を鍔部に容易に取り付けることができる。
【図面の簡単な説明】
【０００８】
【図１】化粧枠１５０が取り付けられた状態の照明装置１００を示す図であり、（ａ）が平面図、（ｂ）が側面図。
【図２】化粧枠１５０が取り付けられる前の状態の照明装置１００を示す図であり、（ａ）が平面図、（ｂ）が側面図。
【図３】化粧枠１５０が分離された状態の照明装置１００を示す図であり、（ａ）が平面図、（ｂ）が側面図。
【図４】実施の形態１に係る本体部１４０を上方から見た斜視図。
【図５】実施の形態１に係る化粧枠１５０を上方から見た斜視図であり、（ａ）は保持部材１５５が凹部１５２の外周５２２に沿った状態、（ｂ）は保持部材１５５が凹部１５２の外周５２２と交差した状態を示す図。
【図６】実施の形態１に係る化粧枠１５０の取付手順（ａ）から（ｃ）を示す図。
【図７】実施の形態１に係る化粧枠１５０の取付状態を示す図であり、（ａ）は保持部材１５５が鍔部１４２を保持していない状態、（ｂ）は保持部材１５５が鍔部１４２を保持している状態を示す図。
【図８】図６の（ｃ）のＡ部拡大図。
【図９】実施の形態１に係る照明装置１００の変形例を示す図であり、（ａ）が保持部材１５５の取り付け位置の変形例、（ｂ）が化粧枠１５０の形状の変形例。
【図１０】実施の形態２に係る保持部材１５５ａと鍔部１４２ａとの保持状態を示す図。
【発明を実施するための形態】
【０００９】
以下、本発明の実施の形態について、図を用いて説明する。なお、以下に説明する実施の形態によって本発明が限定されるものではない。また、以下の図面では各構成部材の大きさの関係が実際のものとは異なる場合がある。また、実施の形態の説明において、上、下、左、右、前、後、表、裏といった方向あるいは位置が示されている場合、それらの表記は、説明の便宜上、そのように記載しているだけであって、装置、器具、部品等の配置や向き等を限定するものではない。なお、上方を取付方向、下方を照射方向ともいう。
【００１０】
実施の形態１．
＊＊＊構成の説明＊＊＊
図１は、化粧枠１５０が取り付けられた状態の照明装置１００を示す図であり、（ａ）が平面図、（ｂ）が側面図である。図１の（ｂ）では装置取付面５００を断面で表している。
図２は、化粧枠１５０が取り付けられる前の状態の照明装置１００を示す図であり、（ａ）が平面図、（ｂ）が側面図である。
図３は、化粧枠１５０が分離された状態の照明装置１００を示す図であり、（ａ）が平面図、（ｂ）が側面図である。
【００１１】
図１から図３を用いて、本実施の形態に係る照明装置１００の構成について説明する。
図１の（ｂ）に示すように、照明装置１００は、天井面あるいは壁面のような装置取付面５００に形成された埋め込み穴５０１に埋め込まれて使用される。
照明装置１００は、電源部１１０と、光源部１２０と、照明器具１３０とを備える。
【００１２】
＜電源部１１０及び光源部１２０の説明＞
電源部１１０は、電源装置１１２と、電源装置１１２に端子を接続するための端子台１１１と、電源装置１１２と端子台１１１とが取り付けられる電源部本体１１３とを備える。
光源部１２０は、ヒートシンク１２１と、光源基板１２２と、光源基板１２２に実装される光源１２３とを備える。
【００１３】
電源装置１１２は、光源部１２０に電力を供給し、光源１２３を点灯させる。電源装置１１２は、図１の（ｂ）の点線に示すように、光源部１２０のヒートシンク１２１の内側に収納される。
また、図１の（ｂ）の点線に示すように、光源基板１２２は、光源部１２０の下端部に設置される。図１の（ｂ）の点線に示すように、光源１２３は、光源基板１２２に実装され、後述する図４に示す本体部１４０の光源開口１４３から照射方向を臨むように配置され、光源開口１４３から照射方向に向かって光を照射する。ヒートシンク１２１は、光源１２３の発する熱を放熱する。
【００１４】
＜照明器具１３０の説明＞
＜本体部１４０の説明＞
照明器具１３０は、本体部１４０と化粧枠１５０とを備える。
図４は、本実施の形態に係る本体部１４０を上方から見た斜視図である。
本体部１４０は、上部から下部に向かって広がるように形成された反射部１４１と、反射部１４１の下端部に形成され、光源１２３から照射される光を通す開口１４４とを有する。光源開口１４３に配置された光源１２３から照射される光は、反射部１４１により反射され拡散されて、開口１４４から外部に照射される。
【００１５】
また、本体部１４０は、開口１４４の縁部に設けられた鍔部１４２を有する。図３の（ａ）（ｂ）及び図４に示すように、鍔部１４２は、開口１４４の縁部から外側に突き出すように円形の環状に形成される。鍔部１４２の上方、すなわち取付方向の側の面を上面４２１とする。鍔部１４２の下方、すなわち照射方向の側の面を下面４２２とする。
【００１６】
また、本体部１４０の上部には、光源開口１４３が形成される。光源開口１４３の周囲には円筒状の立上り部１４５が形成される。
立上り部１４５には、図示は無いがネジといった固定部材により光源部１２０が取り付けられる。
光源開口１４３には、立上り部１４５に取り付けられた光源部１２０の光源１２３が下方を臨むように配置される。光源１２３からの光は、光源開口１４３から反射部１４１及び開口１４４に向けて照射される。
【００１７】
＜化粧枠１５０の説明＞
図５は、本実施の形態に係る化粧枠１５０を上方から見た斜視図であり、（ａ）は保持部材１５５が凹部１５２の外周５２２に沿った状態、（ｂ）は保持部材１５５が凹部１５２の外周５２２と交差した状態を示す図である。
図６は、本実施の形態に係る化粧枠１５０の取付手順（ａ）から（ｃ）を示す図である。図６の（ａ）から（ｃ）では、化粧枠１５０を断面で表している。
図７は、本実施の形態に係る化粧枠１５０の取付状態を示す図であり、（ａ）は保持部材１５５が鍔部１４２を保持していない状態、（ｂ）は保持部材１５５が鍔部１４２を保持している状態を示す図である。
【００１８】
化粧枠１５０は、図１から図３に示すように、本体部１４０に着脱自在に取り付けられる。化粧枠１５０は、中央に開口部１５１が形成された円形の環形状である。化粧枠１５０は、開口部１５１が本体部１４０の開口１４４と連通するように、本体部１４０に取り付けられる。
化粧枠１５０は、具体的には、木材で形成される。あるいは、化粧枠１５０は、木目模様のような模様あるいは色彩が施された合成樹脂で形成されてもよい。また、模様や色彩は木目調でなくても構わない。
【００１９】
化粧枠１５０は、開口部１５１の周囲に設けられ、本体部１４０の下面４２２に取り付けられる取付面部１５３と、取付面部１５３の反対側の化粧面部１５７とを備える。図１の（ｂ）に示すように、化粧面部１５７は、照明装置１００が装置取付面５００に取り付けられた場合に、装置取付面５００の室内側に表れる部分である。
図１の（ｂ）に示すように、照明装置１００は、装置取付面５００の埋め込み穴５０１に本体部１４０の反射部１４１部分が挿入される。そして、照明装置１００は、本体部１４０が有する固定部材により埋め込み穴５０１の縁部に固定される。本体部１４０が有する固定部材の図示は無いが、具体的には板バネである。このとき、本体部１４０の鍔部１４２と鍔部１４２に取り付けられた化粧枠１５０とが埋め込み穴５０１の縁部に引っ掛かかることにより、照明装置１００が埋め込み穴５０１に固定される。このように、照明装置１００が天井面といった装置取付面５００に取り付けられると、木目調の化粧枠１５０の中央の開口部１５１から光を照射するような意匠性の高い照明を提供することができる。
【００２０】
化粧枠１５０は、開口部１５１に沿って取付面部１５３に設けられた環状の凹部１５２を備える。図６の（ａ）（ｂ）に示すように、凹部１５２には、凹部１５２の底面５２１と、鍔部１４２の下面４２２とが接した状態で鍔部１４２が収納される。
また、図７の（ａ）に示すように、化粧枠１５０は、凹部１５２の外周５２２の側の取付面部１５３から凹部１５２に収納された鍔部１４２の上面４２１まで延びて設けられた保持部材１５５を備える。保持部材１５５は、鍔部１４２の上面４２１を保持する。
【００２１】
保持部材１５５は、取付面部１５３に固定された固定部５５２と、固定部５５２から上面４２１まで延びた保持部５５１とを備える。保持部材１５５は、アルミニウムといった金属で形成される。
固定部５５２は、ネジ１５６を通す貫通孔である。固定部５５２を貫通したネジ１５６が取付面部１５３にねじ込まれることにより、保持部材１５５が取付面部１５３に取り付けられる。
すなわち、保持部材１５５は、一端に貫通孔が形成された長形の金属片である。
【００２２】
図７の（ａ）（ｂ）に示すように、保持部材１５５は、固定部５５２を支点として、上面４２１を保持している位置Ｐ１から凹部１５２の外周５２２に沿って上面４２１を保持しない位置Ｐ２まで回転する。また、保持部材１５５は、固定部５５２を支点として、位置Ｐ２から位置Ｐ１まで回転する。つまり、保持部材１５５は、取付面部１５３に回転自在に取り付けられている。
また、作業者が保持部材１５５を回転し易いように、保持部５５１の先端部、すなわち保持部材１５５の他端を上方に折り曲げた折り曲げ部５５３を形成してもよい。なお、折り曲げ部５５３は無くてもよい。
【００２３】
取付面部１５３は、固定部５５２が固定された位置の外側に、取付面部１５３の外周縁に沿って形成された凸部１５４を有する。
図５の（ａ）（ｂ）に示すように、保持部材１５５は、凹部１５２と凸部１５４との間の取付面部１５３に、保持部５５１が取付面部１５３と略同一面上を回転できるように取り付けられる。
【００２４】
図６の（ａ）から（ｃ）を用いて、化粧枠１５０の取付手順について説明する。
まず、鍔部１４２の下面４２２と凹部１５２の底面５２１とが接すると共に、開口１４４と開口部１５１とが連通するように、鍔部１４２を凹部１５２に収納する。
図６の（ｂ）及び図７の（ｂ）が、鍔部１４２を凹部１５２に収納した状態である。
次に、保持部材１５５の保持部５５１を、図７の（ｂ）に示すＱ１方向に回転させる。すなわち、保持部材１５５の保持部５５１を、凹部１５２の外周５２２に沿って鍔部１４２の上面４２１を保持していない状態である位置Ｐ２から、凹部１５２の外周５２２と交差して鍔部１４２の上面４２１を保持している状態である位置Ｐ１まで回転させる。
図６の（ｃ）は、保持部５５１が位置Ｐ１まで回転し、凹部１５２の外周５２２と交差して鍔部１４２の上面４２１を保持している状態を示している。
【００２５】
図８は、図６の（ｃ）のＡ部拡大図である。図８では、化粧枠１５０を断面で表している。
図８に示すように、化粧枠１５０は、凸部１５４の上端部によって形成される面Ｒ１よりもネジ１５６が上方に突出しないように形成されている。よって、照明装置１００が装置取付面５００に取り付けられた場合に、装置取付面５００と化粧枠１５０とががたつくことがない。また、凸部１５４により、保持部５５１の先端部が化粧枠１５０の外部まで回転してしまうのを防ぐことができる。
【００２６】
なお、保持部材１５５は、化粧枠１５０において等間隔となる位置に配置されることが好ましい。本実施の形態では、図３の（ａ）に示すように、保持部材１５５は化粧枠１５０において略等間隔となる位置に３つ配置される。
【００２７】
＊＊＊他の構成＊＊＊
本実施の形態では、保持部材１５５は化粧枠１５０において略等間隔となる位置に３つ配置されていたが、３つ以外でもよい。具体的には、化粧枠１５０において略等間隔となる位置に、２つ、４つ、５つ、７つなど、いくつでも構わない。
【００２８】
図９は、本実施の形態に係る照明装置１００の変形例を示す図であり、（ａ）が保持部材１５５の取り付け位置の変形例、（ｂ）が化粧枠１５０の形状の変形例である。
保持部材１５５は、化粧枠１５０において対向する対となる位置に配置されるとしてもよい。図９の（ａ）では、保持部材１５５は、化粧枠１５０において対向する対となる位置に１対の保持部材１５５が配置された状態を示している。この場合も、保持部材１５５の数は、２つではなく、４つ、６つ、８つなど、いくつでも構わない。
【００２９】
また、本実施の形態では、化粧枠１５０は、円形の環形状であったが、円形でなくても構わない。図９の（ｂ）には四角形の照明器具１３０ａを示している。このように、本体部及び化粧枠が四角形の環形状であっても本実施の形態を適用することができる。その他、本体部及び化粧枠が楕円形、多角形、不定形の環形状であっても本実施の形態を適用することができる。
【００３０】
＊＊＊本実施の形態の効果の説明＊＊＊
以上のように、本実施の形態に係る照明器具によれば、化粧枠に回転可能な保持部材を有するので、化粧枠を鍔部に取り付けてから保持部材を回転させて取り付けることができ、化粧枠の取り付けを容易にすることができる。
【００３１】
実施の形態２．
本実施の形態では、主に、実施の形態１と異なる点について説明する。
以下の説明において、実施の形態１で説明した構成部材と同様の構成部材については同一の符号を付し、その説明を省略する。
【００３２】
図１０は、本実施の形態に係る保持部材１５５ａと鍔部１４２ａとの保持状態を示す図である。図１０では、化粧枠１５０を断面で表している。
本実施の形態では、保持部材１５５ａと鍔部１４２ａとの形状が実施の形態１とは異なる。
【００３３】
鍔部１４２ａは、上面４２１が上方に傾斜する傾斜部４２３を有する。実施の形態１では、鍔部１４２は本体部１４０の開口１４４の周縁を含む面と略同一面上に、開口１４４の周縁から突き出すように形成されていた。本実施の形態に係る鍔部１４２ａは、開口１４４の周縁から上方に傾斜するように形成される。図１０では、鍔部１４２ａ自体が上方に傾斜するように形成されているので、鍔部１４２ａの下面４２２と凹部１５２の底面５２１との間に隙間ができる。なお、鍔部１４２ａ自体を上方に傾斜させてもよいし、鍔部１４２ａの下面４２２と凹部１５２の底面５２１との間に隙間ができないように、鍔部１４２ａの上面４２１のみが傾斜するように形成してもよい。
【００３４】
また、保持部材１５５ａの保持部５５１は、下方に屈曲し、上面４２１を保持した状態で傾斜部４２３と接する屈曲部５５４を有する。屈曲部５５４は、傾斜部４２３と当接するように下方に曲がっている。屈曲部５５４は、下方に付勢するように形成されており、保持部材１５５ａが鍔部１４２ａを挟み込む際に、屈曲部５５４が傾斜部４２３に接して、屈曲部５５４の付勢力が解除される。
【００３５】
以上のように、本実施の形態では、鍔部に傾斜部を形成し、この傾斜部に保持部材が接するようにしているので、保持部材が傾斜部に接しているとき、振動などによって、挟み込み状態が解除される恐れがない。
【００３６】
以上、本発明の実施の形態１及び２について説明したが、これらの実施の形態のうち、２つを組み合わせて実施しても構わない。あるいは、これらの実施の形態のうち、１つを部分的に実施しても構わない。あるいは、これらの実施の形態のうち、２つ以上を部分的に組み合わせて実施しても構わない。その他、これらの実施の形態を、全体としてあるいは部分的に、どのように組み合わせて実施しても構わない。
なお、上記の実施の形態は、本質的に好ましい例示であって、本発明、その適用物及び用途の範囲を制限することを意図するものではなく、必要に応じて種々の変更が可能である。
【符号の説明】
【００３７】
１００  照明装置、１１０  電源部、１１１  端子台、１１２  電源装置、１１３  電源部本体、１２０  光源部、１２１  ヒートシンク、１２２  光源基板、１２３  光源、１３０，１３０ａ  照明器具、１４０  本体部、１４１  反射部、１４２，１４２ａ  鍔部、１４３  光源開口、１４４  開口、１４５  立上り部、４２１  上面、４２２  下面、４２３  傾斜部、１５０  化粧枠、１５１  開口部、１５２  凹部、５２１  底面、５２２  外周、１５３  取付面部、１５４  凸部、１５５，１５５ａ  保持部材、５５１  保持部、５５２  固定部、５５３  折り曲げ部、５５４  屈曲部、１５６  ネジ、１５７  化粧面部、５００  装置取付面、５０１  埋め込み穴、Ｒ１  面、Ｐ１，Ｐ２  位置、Ｑ１  方向。
【図１】
0006717588.tif 000002
【図２】
0006717588.tif 000003
【図３】
0006717588.tif 000004
【図４】
0006717588.tif 000005
【図５】
0006717588.tif 000006
【図６】
0006717588.tif 000007
【図７】
0006717588.tif 000008
【図８】
0006717588.tif 000009
【図９】
0006717588.tif 000010
【図１０】
0006717588.tif 000011